(57)【要約】【課題】  写真技術を用いることなく、所望の中間、暖色、又は冷色の色合いを有する高品質の白黒画像を生成することができ、白黒画像の粒状性及び画素性を改善することもできるグレーインクジェットインクを提供する。さらに、特定の照明条件により悪影響の及ぼされない白黒画像を実現するインクセットも提供する。【解決手段】  本発明のグレーインクジェットインクは、ブラック着色剤と少なくとも１つのシアン、マゼンタ、又はイエロー着色剤とを含む。インクジェットインク中のシアン、マゼンタ、又はイエロー着色剤の量を調節することによって、中間、暖色、冷色、又はセピア色調を呈するグレーインクジェットインクが製造される。少なくとも１つのグレーインクジェットインクをブラックインクセット又は８色インクセットに用いることによって、高解像度の白黒画像を生成することができる。所望のグレー色調を呈する白黒画像を生成する方法もまた開示する。【選択図】なし【特許請求の範囲】
【請求項１】
印刷されるとグレー色調を呈するグレーインクジェットインクであって、
ブラック顔料と少なくとも１つのシアン、マゼンタ、又はイエロー顔料とを含む水性インクビヒクルからなり、前記少なくとも１つのシアン、マゼンタ、又はイエロー顔料が１．５ｗｔ％未満の量で存在する、グレーインクジェットインク。
【請求項２】
グレー色調を印刷するためのブラックインクセットであって、
ダークグレーのインクジェットインクと、中間グレーのインクジェットインクと、ライトグレーのインクジェットインクと、超ライトグレーのインクジェットインクとからなり、その各々が、ブラック着色剤と少なくとも１つのシアン、マゼンタ、又はイエロー着色剤とを含む水性インクビヒクルからなり、前記少なくとも１つのシアン、マゼンタ、又はイエロー着色剤が１．５ｗｔ％未満の量で存在する、ブラックインクセット。
【請求項３】
カラー及び白黒画像を印刷するための８色インクセットであって、
シアン、イエロー、マゼンタ、ブラック、グレー、ライトグレー、ライトシアン、及びライトマゼンタのインクジェットインクからなり、前記グレー及びライトグレーのインクジェットインクが、ブラック着色剤と少なくとも１つのシアン、マゼンタ、又はイエロー着色剤とを含む水性インクビヒクルからなり、前記少なくとも１つのシアン、マゼンタ、又はイエロー着色剤が１．５ｗｔ％未満の量で存在する、８色インクセット。
【請求項４】
前記シアン顔料又はシアン着色剤が、０．２ｗｔ％未満の量で存在する、請求項１〜３の何れか１つに記載のグレーインクジェットインク又はインクセット。
【請求項５】
前記マゼンタ顔料又はマゼンタ着色剤が、０．１ｗｔ％未満の量で存在する、請求項１〜３の何れか１つに記載のグレーインクジェットインク又はインクセット。
【請求項６】
前記インクジェットインクで印刷されたグレー色調が、中間、冷色、暖色、又はセピアのグレー色調である、請求項１〜３の何れか１つに記載のグレーインクジェットインク又はインクセット。
【請求項７】
所望のグレー色調を有する白黒画像を生成する方法であって、
ブラック着色剤と少なくとも１つのシアン、マゼンタ、又はイエロー着色剤とを含む水性インクビヒクルからなる少なくとも１つのグレーインクジェットインクを含み、且つ前記少なくとも１つのシアン、マゼンタ、又はイエロー着色剤が１．５ｗｔ％未満の量で存在する、ブラックインクセットを設けるステップと、
前記ブラックインクセットの前記少なくとも１つのグレーインクジェットインクを印刷媒体に適用して、中間、暖色、冷色、又はセピアのグレー色調を有する白黒画像を生成するステップと、
を包含する方法。
【請求項８】
前記少なくとも１つのグレーインクジェットインクを含むブラックインクセットを設けるステップが、前記少なくとも１つのグレーインクジェットインク中の前記ブラック着色剤と前記少なくとも１つのシアン、マゼンタ、又はイエロー着色剤の量を調節することで、印刷されると中間、暖色、冷色、又はセピアのグレー色調を呈するブラックインクセットを作製するステップを包含する、請求項７に記載の方法。
【請求項９】
前記少なくとも１つのグレーインクジェットインクを含むブラックインクセットを設けるステップが、ダークグレーのインクジェットインク、中間グレーのインクジェットインク、ライトグレーのインクジェットインク及び超ライトグレーのインクジェットインクを設けるステップを包含する、請求項７に記載の方法。
【請求項１０】
所望のグレー色調を有する白黒画像を生成する方法であって、
少なくとも１つのカラーインクジェットインク、ブラックインクジェットインク、及び少なくとも１つのグレーインクジェットインクからなるインクセットを設けるステップと、
前記インクセットの前記インクジェットインクを印刷媒体に適用して、中間、暖色、冷色、又はセピアのグレー色調を有する白黒画像を生成するステップと、
を包含する方法。
【請求項１１】
前記少なくとも１つのカラーインクジェットインク、ブラックインクジェットインク、及び少なくとも１つのグレーインクジェットインクからなるインクセットを設けるステップが、シアン、イエロー、マゼンタ、ブラック、グレー、ライトグレー、ライトシアン、及びライトマゼンタのインクジェットインクを設けるステップを包含する、請求項１０に記載の方法。
【請求項１２】
ユーザが照明条件を選択することによって白黒画像の擬似メタメリズム効果を低減できるようにするステップをさらに包含する、請求項７及び１０に記載の方法。
【請求項１３】
中間、暖色、冷色、又はセピアのグレー色調を生成すべく白黒画像を色補正するステップをさらに包含する、請求項７及び１０に記載の方法。
【発明の詳細な説明】
【技術分野】
【０００１】
本発明は、インクビヒクル中にシアン、イエロー、マゼンタ、及び／又はブラックの着色剤を含有するインクジェットインクに関する。当該インクジェットインクを用いてグレーの中間、冷色、暖色、及びセピア色調を作り出すことができる。
【背景技術】
【０００２】
白黒写真のような、高解像度を有する白黒画像は、ますます普及してきている。各年に作り出される全ての画像のうちほんの僅かの割合しか占めないにもかかわらず、写真家は、在来のハロゲン化銀の技法を使って白黒写真を作り続けている。写真家はまた、インクジェット印刷技術を応用して、高解像度の白黒画像も作っている。例えば、カラーインクジェットプリンタを使って印刷媒体上に複合色のインクジェットインクを適用することによって、白黒画像を印刷するのである。カラーインクジェットプリンタは、印刷媒体上でシアン、マゼンタ、イエロー、及びブラックのインクジェットインクを混ぜ合わせて複合ブラックを得る。グレーの色調を生成するには、印刷媒体上でシアン、マゼンタ、イエロー、及びブラックのインクジェットインクを様々な割合で混ぜ合わせる。白黒画像を印刷するのにカラーのインクジェットインクを使用する場合の１つの欠点は、白黒画像がカラーインクジェットインクの強烈な色に起因して他の色の混じった色相を呈するということである。しばしば、この色相は、インク濃度を関数として偏ることがある。例えば、インク濃度が増すにつれ、中間からの色相の偏差が、青みを帯びた色相から淡紅色の色相に移ることがある。加えて、白黒画像の解像度は、カラーインクジェットインクの個々のドットが、時として、特に画像の明るい領域において目に見えるため、白黒写真ほど高くはない。
【０００３】
高解像度の白黒画像は、インクジェットインクのドットを互いに隣接して適用してブラックとグレーの所望の影を作ることにより印刷される。ディザリング（ｄｉｔｈｅｒｉｎｇ）は、種々の寸法及び形状のドットを互いに隣接して印刷することによりグレーの影をシミュレートする工程である。ディザリングは、様々な形状のドット間のコントラストを低減して隣接ドット間により自然な見かけを作り出す。ハーフトーン処理は、様々な寸法のドットを、固定グリッド上のような、ある規則的な配列で印刷することにより白黒画像を印刷する工程である。
【０００４】
芸術家は、典型的に、中間色調を得るのに白黒画像を望むが、時として、彼らは、暖色、冷色、又はセピア色調を得るのに白黒画像を欲することがある。本明細書において使用されるとき、「中間色調」とは、彩度（ｃｈｒｏｍａ）の欠如した色調である。「暖色」は赤又はピンク色を示し、「冷色」は青、紫、又は緑色を示し、「セピア色調」は、褐色又は黄色を示す。これらの色調は、白黒画像に独特なムードを作り出すのに使用されるものである。写真家の中には、中間から逸する白黒画像を作り出すのに、白金現像槽のような、暗室処理を用いてハロゲン化銀画像を強調する人もいる。
【発明の開示】
【発明が解決しようとする課題】
【０００５】
高価な、時間を要す、環境に優しくない写真技術を用いることなく、所望の中間、暖色、又は冷色の色合いを有する高品質の白黒画像を生成することが望ましい。加えて、白黒画像の粒状性及び画素性を改善することも望ましい。任意の希釈率を堅持するグレーインクジェットインクを提供することも望ましい。さらに、特定の照明条件により悪影響の及ぼされない白黒画像を実現することも望ましい。
【課題を解決するための手段】
【０００６】
ブラック顔料と少なくとも１つのシアン、マゼンタ、又はイエロー顔料とを含むグレーインクジェットインクを開示する。当該グレーインクジェットインク中に存在する顔料の総量は、全インクジェットインクの約０．１ｗｔ％〜約３．０ｗｔ％である。少なくとも１つのシアン、マゼンタ、又はイエロー顔料は、約１．５ｗｔ％未満の量で存在する。
【０００７】
少なくとも１つのグレーインクジェットインクを含むブラックインクセットも開示する。少なくとも１つのグレーインクジェットインクは、ブラック着色剤と少なくとも１つのシアン、マゼンタ、又はイエロー着色剤とを含む。
【０００８】
カラー及び白黒画像を印刷するための８色インクセットも開示する。当該８色インクセットは、シアン、イエロー、マゼンタ、ブラック、グレー、ライトグレー、ライトシアン、及びライトマゼンタのインクジェットインクからなる。グレー及びライトグレーのインクジェットインクは、ブラック着色剤と少なくとも１つのシアン、マゼンタ、又はイエロー着色剤とを含む水性インクビヒクルからなる。少なくとも１つのシアン、マゼンタ、又はイエロー着色剤は、約１．５ｗｔ％未満の量で存在する。
【０００９】
所望のグレー色調を有する白黒画像を作り出す方法も開示する。当該方法は、少なくとも１つのシアン、イエロー、マゼンタ、ブラック、ライトシアン、ライトマゼンタ、及びグレーのインクジェットインクからなる多色インクセットを設けるステップを包含する。少なくとも１つのグレーインクジェットインクは、水性インクビヒクル中にブラック着色剤と少なくとも１つのシアン、マゼンタ、又はイエロー着色剤とを含む。ブラックインクセットの少なくとも１つのグレーインクジェットインクを印刷媒体に適用して、中間、暖色、冷色、又はセピアのグレー色調を呈する白黒画像を作り出す。
【００１０】
所望のグレー色調を有する白黒画像を作り出すその他の方法も開示する。当該方法は、少なくとも１つのカラーインクジェットインク、ブラックインクジェットインク、及び少なくとも１つのグレーインクジェットインクからなるインクセットを設けるステップを包含する。当該インクセットのインクジェットインクを印刷媒体に適用して、中間、暖色、冷色、又はセピアのグレー色調を有する白黒画像を作り出す。
【発明を実施するための最良の形態】
【００１１】
インクビヒクル中に少なくとも１つの着色剤を含んでいるグレーインクジェットインクを開示する。当該インクジェットインクは、所望のグレー色調を作り出すべくシアン、マゼンタ、イエロー、又はブラック着色剤の組合せを含む。インクビヒクル中のシアン、マゼンタ、イエロー、又はブラック着色剤の量を調節することで、印刷時に中間、暖色、冷色、又はセピア色調を有することになる。当該インクジェットインクは、低濃度希釈時に色相偏差（ｈｕｅ  ｄｅｖｉａｔｉｏｎｓ）又は色偏向（ｃｏｌｏｒ  ｃａｓｔｓ）を生じない。
【００１２】
インクジェットインク中の成分の量は、インク成分全重量の重量パーセント（「ｗｔ％」）で表す。全成分の純度は、インクジェットインクが通常の商用に供される際の純度である。
【００１３】
インクジェットインク中の着色剤には、染料又は顔料を用いることができる。着色剤が染料の場合、その染料は、非イオン性、陽イオン性、陰イオン性であるか、又は非イオン性、陽イオン性、及び／又は陰イオン性染料の混合物とすることができる。インクジェットインク用の染料は、当分野で周知であり、バスフ社、チバ社、及びセンシエント社のような発売元から市販されている。染料には、水溶性又は水不溶性のものを用いることができ、酸性（Ａｃｉｄ）、直接（Ｄｉｒｅｃｔ）、食用（Ｆｏｏｄ）、媒染（Ｍｏｒｄａｎｔ）、又は反応（Ｒｅａｃｔｉｖｅ）染料が含まれる。使用できる染料の特定の例として、限定はしないが、Ｓｕｌｆｏｒｈｏｄａｍｉｎｅ  Ｂ、Ａｃｉｄ  Ｂｌｕｅ  １１３、Ａｃｉｄ  Ｂｌｕｅ  ２９、Ａｃｉｄ  Ｒｅｄ  ４、Ｒｏｓｅ  Ｂｅｎｇａｌ、Ａｃｉｄ  Ｙｅｌｌｏｗ  １７、Ａｃｉｄ  Ｙｅｌｌｏｗ  ２９、Ａｃｉｄ  Ｙｅｌｌｏｗ  ４２、Ａｃｒｉｄｉｎｅ  Ｙｅｌｌｏｗ  Ｇ、Ａｃｉｄ  Ｙｅｌｌｏｗ  ２３、Ａｃｉｄ  Ｂｌｕｅ  ９、Ｎｉｔｒｏ  Ｂｌｕｅ  Ｔｅｔｒａｚｏｌｉｕｍ  Ｃｈｌｏｒｉｄｅ  Ｍｏｎｏｈｙｄｒａｔｅ又はＮｉｔｒｏ  ＢＴ、  ６Ｇ、Ｒｈｏｄａｍｉｎｅ  １２３、Ｒｈｏｄａｍｉｎｅ  Ｂ、Ｒｈｏｄａｍｉｎｅ  Ｂ  Ｉｓｏｃｙａｎａｔｅ、Ｓａｆｒａｎｉｎｅ  Ｏ、Ａｚｕｒｅ  Ｂ、Ａｚｕｒｅ  Ｂ  Ｅｏｓｉｎａｔｅがあり、それらは全てシグマ−アルドリッチケミカルカンパニー社（米国モンタナ州セントルイス）から入手可能である。陰イオン性の水溶性染料の例として、限定はしないが、Ｄｉｒｅｃｔ  Ｙｅｌｌｏｗ  １３２、Ｄｉｒｅｃｔ  Ｂｌｕｅ  １９９、Ｍａｇｅｎｔａ  ３７７（イルフォードＡＧ社、スイス国から市販）があり、単独又はＡｃｉｄ  Ｒｅｄ  ５２と一緒に用いられる。水不溶性染料の例として、アゾ、キサンテン、メチン、ポリメチン、及びアントラキノン染料が挙げられる。水不溶性染料の特定の例として、Ｃｉｂａ−Ｇｅｉｇｙ  Ｏｒａｓｏｌ  Ｂｌｕｅ  ＧＮ、Ｃｉｂａ−Ｇｅｉｇｙ  Ｏｒａｓｏｌ  Ｐｉｎｋ、Ｃｉｂａ−Ｇｅｉｇｙ  Ｏｒａｓｏｌ  Ｙｅｌｌｏｗが挙げられる。ブラック染料として、限定はしないが、Ｄｉｒｅｃｔ  Ｂｌａｃｋ  １５４、Ｄｉｒｅｃｔ  Ｂｌａｃｋ  １６８、Ｆａｓｔ  Ｂｌａｃｋ  ２、Ｄｉｒｅｃｔ  Ｂｌａｃｋ  １７１、Ｄｉｒｅｃｔ  Ｂｌａｃｋ  １９、Ａｃｉｄ  Ｂｌａｃｋ  １、Ａｃｉｄ  Ｂｌａｃｋ  １９１、Ｍｏｂａｙ  Ｂｌａｃｋ  ＳＰ、及びＡｃｉｄ  Ｂｌａｃｋ  ２を挙げることができる。当該染料は、インクジェットインク中に約０ｗｔ％〜約１０ｗｔ％の量で存在することができる。
【００１４】
インクジェットインク用の顔料も当分野で周知であり、バスフ社、カボット社、チバ社、クラリアント社、デグッサ社、デュポン社、ホイバッハ社、及びモバイケミカル社のような発売元から市販されている。インクジェットインク中の着色剤が顔料の場合、当該顔料として、限定はしないが、バスフ社から入手可能な以下の顔料、Ｐａｌｉｏｇｅｎ（登録商標）Ｏｒａｎｇｅ、Ｈｅｌｉｏｇｅｎ（登録商標）Ｂｌｕｅ  Ｌ  ６９０１Ｆ、Ｈｅｌｉｏｇｅｎ（登録商標）Ｂｌｕｅ  ＮＢＤ  ７０１０、Ｈｅｌｉｏｇｅｎ（登録商標）Ｂｌｕｅ  Ｋ  ７０９０、Ｈｅｌｉｏｇｅｎ（登録商標）Ｂｌｕｅ  Ｌ  ７１０１Ｆ、Ｐａｌｉｏｇｅｎ（登録商標）Ｂｌｕｅ  Ｌ  ６４７０、Ｈｅｌｉｏｇｅｎ（登録商標）Ｇｒｅｅｎ  Ｋ  ８６８３、及びＨｅｌｉｏｇｅｎ（登録商標）Ｇｒｅｅｎ  Ｌ  ９１４０が挙げられる。以下のブラック顔料はカボット社から入手可能である：Ｍｏｎａｒｃｈ（登録商標）１４００、Ｍｏｎａｒｃｈ（登録商標）１３００、Ｍｏｎａｒｃｈ（登録商標）１１００、Ｍｏｎａｒｃｈ（登録商標）１０００、Ｍｏｎａｒｃｈ（登録商標）９００、Ｍｏｎａｒｃｈ（登録商標）８８０、Ｍｏｎａｒｃｈ（登録商標）８００、及びＭｏｎａｒｃｈ（登録商標）７００。以下の顔料はチバ社から入手可能である：Ｃｈｒｏｍｏｐｈｔａｌ（登録商標）Ｙｅｌｌｏｗ  ３Ｇ、Ｃｈｒｏｍｏｐｈｔａｌ（登録商標）Ｙｅｌｌｏｗ  ＧＲ、Ｃｈｒｏｍｏｐｈｔａｌ（登録商標）Ｙｅｌｌｏｗ  ８Ｇ、Ｉｇｒａｚｉｎ（登録商標）Ｙｅｌｌｏｗ  ５ＧＴ、Ｉｇｒａｌｉｔｅ（登録商標）Ｒｕｂｉｎｅ  ４ＢＬ、Ｍｏｎａｓｔｒａｌ（登録商標）Ｍａｇｅｎｔａ、Ｍｏｎａｓｔｒａｌ（登録商標）Ｓｃａｒｌｅｔ、Ｍｏｎａｓｔｒａｌ（登録商標）Ｖｉｏｌｅｔ  Ｒ、Ｍｏｎａｓｔｒａｌ（登録商標）Ｒｅｄ  Ｂ、及びＭｏｎａｓｔｒａｌ（登録商標）Ｖｉｏｌｅｔ  Ｍａｒｏｏｎ  Ｂ。以下の顔料はデグッサ社から入手可能である：Ｐｒｉｎｔｅｘ  Ｕ、Ｐｒｉｎｔｅｘ  Ｖ、Ｐｒｉｎｔｅｘ  １４０Ｕ、及びＰｒｉｎｔｅｘ  １４０Ｖ、Ｃｏｌｏｒ  Ｂｌａｃｋ  ＦＷ  ２００、Ｃｏｌｏｒ  Ｂｌａｃｋ  ＦＷ  ２、Ｃｏｌｏｒ  Ｂｌａｃｋ  ＦＷ  ２Ｖ、Ｃｏｌｏｒ  Ｂｌａｃｋ  ＦＷ  １、Ｃｏｌｏｒ  Ｂｌａｃｋ  ＦＷ  １８、Ｃｏｌｏｒ  Ｂｌａｃｋ  Ｓ  １６０、Ｃｏｌｏｒ  Ｂｌａｃｋ  Ｓ  １７０、Ｓｐｅｃｉａｌ  Ｂｌａｃｋ  ６、Ｓｐｅｃｉａｌ  Ｂｌａｃｋ  ５、Ｓｐｅｃｉａｌ  Ｂｌａｃｋ  ４Ａ、及びＳｐｅｃｉａｌ  Ｂｌａｃｋ  ４。以下の顔料はデュポン社から入手可能である：Ｔｉｐｕｒｅ（登録商標）Ｒ−１０１。以下の顔料はホイバッハ社から入手可能である：Ｄａｌａｍａｒ（登録商標）Ｙｅｌｌｏｗ  ＹＴ−８５８−Ｄ及びＨｅｕｃｏｐｈｔｈａｌ（登録商標）Ｂｌｕｅ  Ｇ  ＸＢＴ−５８３Ｄ。以下の顔料はクラリアント社から入手可能である：Ｐｅｒｍａｎｅｎｔ  Ｙｅｌｌｏｗ  ＧＲ、Ｐｅｒｍａｎｅｎｔ  Ｙｅｌｌｏｗ  Ｇ、Ｐｅｒｍａｎｅｎｔ  Ｙｅｌｌｏｗ  ＤＨＧ、Ｐｅｒｍａｎｅｎｔ  Ｙｅｌｌｏｗ  ＮＣＧ−７１、Ｐｅｒｍａｎｅｎｔ  Ｙｅｌｌｏｗ  ＧＧ、Ｈａｎｓａ  Ｙｅｌｌｏｗ  ＲＡ、Ｈａｎｓａ  Ｂｒｉｌｌｉａｎｔ  Ｙｅｌｌｏｗ  ５ＧＸ−０２、Ｈａｎｓａ  Ｙｅｌｌｏｗ−Ｘ、Ｎｏｖｏｐｅｒｍ（登録商標）Ｙｅｌｌｏｗ  ＨＲ、Ｎｏｖｏｐｅｒｍ（登録商標）Ｙｅｌｌｏｗ  ＦＧＬ、Ｈａｎｓａ  Ｂｒｉｌｌｉａｎｔ  Ｙｅｌｌｏｗ  １０ＧＸ、Ｐｅｒｍａｎｅｎｔ  Ｙｅｌｌｏｗ  Ｇ３Ｒ−０１、Ｈｏｓｔａｐｅｒｍ（登録商標）Ｙｅｌｌｏｗ  Ｈ４Ｇ、Ｈｏｓｔａｐｅｒｍ（登録商標）Ｙｅｌｌｏｗ  Ｈ３Ｇ、Ｈｏｓｔａｐｅｒｍ（登録商標）Ｏｒａｎｇｅ  ＧＲ、Ｈｏｓｔａｐｅｒｍ（登録商標）Ｓｃａｒｌｅｔ  ＧＯ、及びＰｅｒｍａｎｅｎｔ  Ｒｕｂｉｎｅ  Ｆ６Ｂ。以下の顔料はモバイ社から入手可能である：Ｑｕｉｎｄｏ（登録商標）Ｍａｇｅｎｔａ、Ｉｎｄｏｆａｓｔ（登録商標）Ｂｒｉｌｌｉａｎｔ  Ｓｃａｒｌｅｔ、Ｑｕｉｎｄｏ（登録商標）Ｒｅｄ  Ｒ６７００、Ｑｕｉｎｄｏ（登録商標）Ｒｅｄ  Ｒ６７１３、及びＩｎｄｏｆａｓｔ（登録商標）Ｖｉｏｌｅｔ。以下の顔料はサンケミカル社から入手可能である：Ｌ７４−１３５７  Ｙｅｌｌｏｗ、Ｌ７５−１３３１  Ｙｅｌｌｏｗ、及びＬ７５−２５７７  Ｙｅｌｌｏｗ。以下の顔料はコロンビア社から入手可能である：Ｒａｖｅｎ  ７０００、Ｒａｖｅｎ  ５７５０、Ｒａｖｅｎ  ５２５０、Ｒａｖｅｎ  ５０００、及びＲａｖｅｎ  ３５００。以下の顔料は、サンケミカル社から入手可能である：ＬＨＤ９３０３  Ｂｌａｃｋ。
【００１５】
一実施形態では、シアン、イエロー、マゼンタ、又はブラック顔料は、インクジェットインクの全重量の約０．１ｗｔ％〜約３．０ｗｔ％で存在することができる。しかしながら、染料を使用し得ることも予想される。着色剤の量にほんの少しの偏りがあっても、インクジェットインクの色調がその中間又は他の所望のグレー色調から変化することがあるため、着色剤は、インクビヒクル中に精密な量で存在させる必要がある。しかしながら、本明細書で詳細に議論されるように、追加のカラーインクジェットインクを使用する色補正アルゴリズムを用いることによっても、所望のグレー色調を印刷媒体上に得ることができる。インクジェットインクにブラック顔料が使用される場合には、顔料は、全インクジェットインクの約０．１ｗｔ％〜約３．０ｗｔ％存在することができる。インクジェットインクにシアン顔料が使用される場合には、顔料は、全インクジェットインクの約０．０１ｗｔ％〜約１．０ｗｔ％存在することができる。インクジェットインクにマゼンタ顔料が使用される場合には、顔料は、全インクジェットインクの約０．００５ｗｔ％〜約１．０ｗｔ％存在することができる。インクジェットインクにイエロー顔料が使用される場合には、顔料は、全インクジェットインクの約０．０１ｗｔ％〜約１．０ｗｔ％存在することができる。
【００１６】
インクジェットインクに使用される着色剤は、本発明の操作性にとって重要ではない。それ故、染料又は顔料の選択は、本明細書では詳細に議論しない。むしろ、通常の知識を有する当業者であれば、本発明に使用するための適切な任意の染料又は顔料を選択することができることを理解されたい。
【００１７】
当該インクジェットインクは、水性のインクビヒクルと、該ビヒクル中に含まれる少なくとも１つのシアン、マゼンタ、イエロー、又はブラックの着色剤とを含み、中間、暖色、冷色、又はセピアのグレー色調を作り出すことができる。染料系インクジェットインクでは、染料はインクビヒクルに可溶性であり、一方、顔料系インクジェットインクでは、顔料はインクビヒクル中に分散している。一実施形態では、ダークグレーのインクは、ブラック顔料を用いて生成され、一方、比較的明るいグレーインクは、インクビヒクル中に少なくとも１つのシアン、マゼンタ、イエロー、又はブラック顔料を用いて生成される。例示のみの目的で、予め定められた量のブラック顔料、シアン顔料、及びマゼンタ顔料を含むことで、インクジェットインクはより明るいグレー色調を得ることができる。インクジェットインクは、様々な量のシアン、マゼンタ、イエロー、又はブラック顔料を含むことができるため、印刷時にフルレンジのグレー色調を生ずるインクジェットインクを得ることができる。
【００１８】
インクビヒクルとして、水、又は水と少なくとも１つの水溶性有機溶媒との混合物が挙げられる。水溶性有機溶媒として、限定はしないが、脂肪族アルコール、芳香族アルコール、ジオール、グリコールエーテル、ポリ（グリコール）エーテル、カプロラクタム、ホルムアミド、アセトアミド、及び長鎖のアルコール、又はそれらの混合物を挙げることができる。本発明の実施に際して用いられる有機溶媒の例として、限定はしないが、炭素数３０以下の第一アルコール、炭素数３０以下の第一芳香族アルコール、炭素数３０以下の第二脂肪族アルコール、炭素数３０以下の１，３−アルキルジオール、炭素数３０以下のアルキルトリオール、炭素数３０以下の１，ω−アルコール、エチレングリコールアルキルエーテル、プロピレングリコールアルキルエーテル、ポリ（エチレングリコール）アルキルエーテル、ポリ（エチレングリコール）アルキルエーテルの比較的高次の同族体、ポリ（プロピレングリコール）アルキルエーテル、ポリ（プロピレングリコール）アルキルエーテルの比較的高次の同族体、Ｎ−アルキルカプロラクタム、未置換カプロラクタム、置換ホルムアミド、未置換ホルムアミド、置換アセトアミド、及び未置換アセトアミドが挙げられる。例えば、Ｎ−メチルピロリドン、１，５−ペンタンジオール、２−ピロリドン、ジエチレングリコール、１，３−（２−メチル）−プロパンジオール、１，３，５−（２−メチル）−ペンタントリオール、テトラメチレンスルホン、３−メトキシ−３−メチルブタノール、グリセロール、３−ピリジルカルビノール、ペンタエリスリトール、１，２−アルキルジオール、及びそれらの混合物のような溶媒を用いることができる。水溶性有機溶媒は、インクジェットインクの全重量の約０．０１ｗｔ％〜約５０ｗｔ％の範囲で存在することができ、約０．１ｗｔ％〜約３０ｗｔ％が好ましい。
【００１９】
当該インクジェットインクは、インクジェットインクの所望の諸特性によって、任意に、界面活性剤、湿潤剤、ポリマー、腐食阻止剤、ｐＨ調節剤、及び殺生物剤（抗微生物剤、抗菌剤、等）のような成分を含有することができる。これらの成分は当分野で周知であり、本明細書では詳細に議論しない。
【００２０】
当該インクジェットインクは、当分野で周知のように、インクビヒクル中に少なくとも１つのシアン、マゼンタ、イエロー、又はブラック着色剤を取り込むことによって調製することができる。着色剤が可溶性染料の場合には、染料をインクビヒクルに溶解させることができ、一方、着色剤が不溶性染料又は顔料の場合には、在来の方法によってそれをインクビヒクルに分散させることができる。
【００２１】
それぞれが様々な量のシアン、マゼンタ、イエロー、及びブラック着色剤を含んでいる、多数のグレーインクジェットインクを用いて、所望のグレー色調を有する白黒画像を印刷するのに使用されるブラックインクセットを作り出すことができる。例えば、中間色調が望まれるなら、ブラックインクセットの各々のインクジェットインクは、印刷時に色々な濃度の、但し依然として中間の、グレー色調を生成することができる。例えば、インクセットは、印刷時に中間色調を有する白黒画像を生成できるように、ダークグレーインク、中間グレーインク、ライトグレーインク、及び超ライトグレーインクを含むことができる。特定の着色剤の量のほんの少しの誤差によって、インクジェットインクがその中間色調から逸脱する原因に成り得るため、中間色調を得るためには、着色剤を、インクビヒクル中に精密な量で存在させることになる。他の実施形態では、ブラックインクセットは、白黒画像において最も一般的である中間グレー色調のような、ユーザによって最も望まれる中間グレー色調を生ずるインクジェットインクを含むことができる。中間のブラックインクセットに加えて、印刷されると暖色、冷色、又はセピア色調を示すグレーインクを含むブラックインクセットも考えられる。例示だけの目的で、インクジェットインク（ダークグレー、中間グレー、ライトグレー、及び超ライトグレー）は、冷色色調を出すために比較的多量のシアン顔料を、又は暖色色調を出すために比較的多量のマゼンタ顔料を含むことができる。
【００２２】
本明細書に記載されるブラックインクセットを用いることにより、白黒画像の粒状性及び知覚される解像度を改善することができる。例えば、ブラックインクセットのうちの超ライトグレーインクは、白黒画像の最も明るい色調を印刷するのに用いられ、一方、ダークグレーインクは、最も暗い色調を印刷するのに用いることができる。ライト及びダーク色調を印刷するのに様々なグレーインクジェットインクを用いることで、インクの個々のドットは、印刷媒体に対して比較的低コントラストを呈することになり、これによって、印刷画像の解像度が改善される。
【００２３】
複数のカラー、ブラック、及びグレーインクを有するインクセットもまた、中間、暖色、冷色、又はセピア色調を得るために用いることができる。例えば、ブラック、シアン、マゼンタ、イエロー、グレー、ライトグレー、ライトシアン、及びライトマゼンタのインクジェットインクからなる８色インクセットが考えられる。このインクセットは、カラーインクジェットインクを含むため、中間、暖色、冷色、及びセピア色調化された白黒画像を印刷できるのに加えて、高品質のカラー画像を印刷するのにも用いることができる。カラーと白黒の両方の画像を印刷するのに１つのインクセットを用いることができるため、８色インクセットの多様性は、在来のインクセットに比較して高い。また、８色より多いか又は少ないインクを用い得ることが意図されている。例えば、カラー及びブラックのインクジェットインクと共に、より少ない又はより多いグレーインクジェットインクを用いることができる。
【００２４】
その上に本発明のインクジェットインクを印刷するための印刷媒体には、写真品質の画像を印刷するのに用いられる在来の基材を用いることができる。例えば、印刷媒体には、写真用紙のような、コート紙を用いることができる。印刷媒体は、本発明の操作性にとって重要でない故、本明細書ではその選択に関して詳細に議論しない。むしろ、通常の知識を有する当業者であれば、本発明に使用するための適切な任意の印刷媒体を選択し得ることを理解されたい。
【００２５】
本明細書において記載するインクジェットインク及びインクセットは、多数の印刷ヘッドと多数のインクペンとを備える、インクジェットプリンタを包含する印刷システムに用いることができる。インクジェットプリンタには、サーマルインクジェットプリンタ又は圧電式インクジェットプリンタのような、在来のインクジェットプリンタを用いることができる。印刷システムはまた、インクジェットプリンタの動作を指令する、コンピュータに格納されている印刷ドライバを具備することができる。印刷ドライバは、当分野で周知のように構成することができ、印刷画像を生成できるようにインクジェットプリンタに効果的に組み合わされる。いくつかの印刷ヘッドは、中間、暖色、冷色、又はセピア色調を有するブラックインクセットのインクジェットインク含むことができる。残りの印刷ヘッドは、顔料濃度の低いライトカラー、又は最大限の顔料濃度を有するダークカラーのような、ブラック又はカラーインクジェットインクを含むことができる。例えば、カラーインクジェットインクには、ライトシアン又はライトマゼンタのインクジェットインク、又は最大限の顔料濃度を有する在来のシアン、マゼンタ、又はイエローのインクジェットインクを含むことができる。
【００２６】
インクジェットプリンタとプリンタドライバとを効果的に組み合わせることによって、印刷システムは、ブラックインクセットが事実上の中間色調から多少逸している場合でも中間色調化された白黒画像を印刷媒体上に印刷し得る。換言すれば、インクジェットインク自体が事実上中間色調でない場合でも中間色調化された白黒画像を生成することができる。校正ルーチンを介するカラーマッピング調整により達成し得る、カラー補正によるブラックインクセットの偏りを調節するのにプリンタドライバを利用することができる。カラーマッピング及び校正ルーチンのアルゴリズムは、当分野で周知であり、従って本明細書では詳細に議論しない。ブラックインクセットは、事実上の中間状態から逸していてもよいため、当該ブラックインクセットは、達成困難な厳しい仕様に合うように製造する必要はなく、在来の仕様に合わせて製造することができる。印刷ドライバは、ライトカラーインクジェットインク（即ち、ライトシアン又はライトマゼンタ）をブラックインクセット（即ち、ダークグレー、中間グレー、ライトグレー、及び超ライトグレーインクジェットインク）と組合せて印刷することによりブラックインクセットを色補正できるよう構成することができる。ダークカラーを有するインクセットはまた、印刷時に事実上中間状態になるようにブラックインクセットを色補正するのにも用いることができる。
【００２７】
中間色調を印刷するためだけではなく、ユーザによって選択される暖色、冷色、又はセピア色調を作り出すためにも当該印刷システムを用いることができる。選択された色調を得るために、ライト又はダークカラーインクジェットインクと組合せて８色インクセットのグレーインクジェットインクを印刷媒体上に印刷することができる。ダークカラーインクジェットインクは、白黒画像の高濃度領域における色相を調節することができ、ライトカラーインクジェットインクは、低濃度領域において粒状性を低減させるのに用いることができる。
【００２８】
使用及び操作に関しては、当該印刷システムの印刷ドライバは、実現可能なグレー色調を表す色空間から所望のグレー色調を選択するようにユーザに指示することができる。色空間は、図１に三角形として描かれており、中央に中間グレー色調を、三角形の各隅にセピア色調、暖色色調、及び冷色色調を含むものである。しかしながら、色空間は、図１に挙げたものとは異なるグレー色調を表し得ることを理解されたい。ユーザは、在来のソフトウェア選択プロセスを利用して（即ち、カラー空間を表している領域内の所望のポイントでマウスをクリックし、スライドバー上でＲＧＢ値を調節する、等）所望の色調を選択することができる。選択された色調は、カラーマッピングを調節する印刷ドライバ内のアルゴリズムを用いて生成させることができる。例えば、印刷ドライバは、８色インクセットのインクジェットインクの各々の予定量を印刷するようインクジェットプリンタに指示することができる。もし冷色色調が望まれているならば、印刷ドライバは、ライトシアンのインクジェットインクと組合せてグレーインクジェットインクを印刷するようにインクジェットプリンタに指示することができる。もし暖色色調が望まれているならば、印刷ドライバは、ライトマゼンタのインクジェットインクと組合せてグレーインクジェットインクを印刷するようにインクジェットプリンタに指示することができる。
【００２９】
また、当該印刷システムによって、ユーザは、標準の照明条件下で観察される擬似メタメリズム効果を排除もしくは低減させることもできる。白黒画像が印刷される以前に擬似メタメリズムを調節することにより、時間と材料を浪費する白黒画像の多重コピーを印刷することなく所望の色調を得ることができる。当該印刷システムにおける印刷ドライバは、白黒画像が表示される照明条件を選択するようユーザに指示することができる。例示だけの目的で、ユーザは、ギャラリー照明の下でセピア色調化された画像を表示できるように選択することができる。この画像の擬似メタメリズムを補正するために、当該印刷システムは、印刷画像にライトカラー（即ち、ライトシアン又はライトマゼンタ）を追加することができる。当該画像は、ギャラリー照明の下で表示されることになるので、その画像の色調は、その他の任意の照明条件下では不正確な状態で見えることがある。しかしながら、その画像が正しい照明条件下で表示されるときは、所望の色調が達成される。また、実質的に同様の方法でカラー画像における擬似メタメリズムを低減し得ることも予想される。
【実施例１】
【００３０】
印刷時に中間グレー色調を呈するインクジェットインク
表１に記載する量（ｗｔ％）のブラック、シアン、及びマゼンタ顔料を含む４種のインクジェットインクを作製した。ブラック顔料はＣＡＢ−Ｏ−ＪＥＴ（登録商標）２００であり、シアン顔料はＣＡＢ−Ｏ−ＪＥＴ（登録商標）２５０であり、マゼンタ顔料はＣＡＢ−Ｏ−ＪＥＴ（登録商標）２６０であり、イエロー顔料はＣＡＢ−Ｏ−ＪＥＴ（登録商標）２７０であった。これらは全てカボット社（米国マサチューセッツ州ボストン）から入手可能である。
【００３１】
【表１】
2005002338.tif 000002
【００３２】
顔料は、在来の方法によってインクビヒクルに分散させた。当該インクジェットインクはまた、９％の２−ピロリジノン、２％の１，２−ヘキサンジオール、３％  Ｌｉｐｏｎｉｃｓエトキシル化グリコール  １（ＬＥＧ−１）、０．２％のＳｕｒｆｙｎｏｌ  １０４、及び０．２％のＰｒｏｘｅｌも含有している。２−ピロリジノンと１，２−ヘキサンジオールは、シグマ−アルドリッチ社（米国モントリオール州セントルイス）から入手可能であり、ＬＥＧ−１は、リポケミカル社（米国ニュージャージー州パターソン）から入手可能であり、Ｓｕｒｆｙｎｏｌ  １０４は、エアプロダクツ アンド ケミカル社（米国ペンシルバニア州アレンタウン）から入手可能であり、Ｐｒｏｘｅｌは、アビシア社（米国デラウエア州ウィルミントン）から入手可能である。
【００３３】
４種のインクジェットインクの各々は、ヒューレットパッカード社（米国カリフォルニア州パロアルト）から市販されている重量コート紙上に印刷した際に、中間グレー色調を呈した。
【実施例２】
【００３４】
印刷時に冷色グレー色調を呈するインクジェットインク
表２に記載する量（ｗｔ％）のブラック、シアン、及びマゼンタ顔料を含む４種のインクジェットインクを作製した。インクジェットインクに使用した顔料は、実施例１に記載した通りである。
【００３５】
【表２】
2005002338.tif 000003
【００３６】
顔料は、在来の方法によってインクビヒクルに分散させた。当該インクジェットインクはまた、９％の２−ピロリジノン、２％の１，２−ヘキサンジオール、３％のＬｉｐｏｎｉｃｓエトキシル化グリコール  １（ＬＥＧ−１）、０．２％のＳｕｒｆｙｎｏｌ  １０４、及び０．２％のＰｒｏｘｅｌも含有している。
【００３７】
４種のインクジェットインクの各々は、重量コート紙上に印刷した際、冷色グレー色調を呈した。
【実施例３】
【００３８】
印刷時に暖色グレー色調を呈するインクジェットインク
表３に記載する量（ｗｔ％）のブラック、シアン、及びマゼンタ顔料を含む４種のインクジェットインクを作製した。インクジェットインクに使用した顔料は、実施例１に記載した通りである。
【００３９】
【表３】
2005002338.tif 000004
【００４０】
顔料は、在来の方法によってインクビヒクルに分散させた。当該インクジェットインクはまた、９％の２−ピロリジノン、２％の１，２−ヘキサンジオール、３％のＬｉｐｏｎｉｃｓエトキシル化グリコール  １（ＬＥＧ−１）、０．２％のＳｕｒｆｙｎｏｌ  １０４、及び０．２％のＰｒｏｘｅｌも含有する。
【００４１】
４種のインクジェットインクの各々は、重量コート紙上に印刷した際、暖色グレー色調を呈した。
【実施例４】
【００４２】
印刷時にセピア色調を呈するインクジェットインク
表４に記載する量（ｗｔ％）のブラック、シアン、及びマゼンタ顔料を含む４種のインクジェットインクを作製した。インクジェットインクに使用した顔料は、実施例１に記載した通りである。
【００４３】
【表４】
2005002338.tif 000005
【００４４】
顔料は、在来の方法によってインクビヒクルに分散させた。当該インクジェットインクはまた、９％の２−ピロリジノン、２％の１，２−ヘキサンジオール、３％のＬｉｐｏｎｉｃｓエトキシル化グリコール  １（ＬＥＧ−１）、０．２％のＳｕｒｆｙｎｏｌ  １０４、及び０．２％のＰｒｏｘｅｌも含有する。
【００４５】
４種のインクジェットインクの各々は、重量コート紙上に印刷した際、セピア色調を呈した。
【００４６】
以上、本発明の特定の好ましい実施形態に関して説明してきた。しかしながら、本発明の趣旨又は範囲から逸脱することなくその多くの変形形態（特許請求されているように）も実施可能であるため、併記の特許請求の範囲によって定義される発明が上記説明において示された特定例に限定されるものではないことを理解されたい。
【００４７】
添付の図面は、本発明の一実施形態を説明するものであり、本明細書の一部である。図示した実施形態は、本発明の範囲を限定するものではない。
【図面の簡単な説明】
【００４８】
【図１】本発明の一実施形態による三角形で表された色空間。中央に中間グレー色調、三角の各隅にセピア色調、暖色色調、及び冷色色調を含む。
【図１】
2005002338.tif 000006